(57)【要約】  従来、サーモパイルによる温度分布センサにより、人間の存在の有無を検知し、人間が存在しない領域に対しては、照明機器をＯＦＦにすることで省エネを実現している。しかしながら、一律に利用者の有無によって照明機器を制御するため、利用者の個人的要望に対応することができなかった。制御内容管理システムは、熱源の有無によって制御内容を決めた後に、利用者からの要求に基づいて、制御内容を調整するための調整データを生成し、制御対象システム等に送信するため）、より実態に合った調光の制御を行なうことができるという効果を奏する。
2017168856.tif 000002
【特許請求の範囲】
【請求項１】
所定空間の温度を検知する検知装置、及び移動体端末と通信可能であり、前記所定空間における制御対象装置の制御内容を管理する制御内容管理システムであって、
前記所定空間における熱源の有無を示す所定の熱源有無情報、及び前記所定空間における制御対象装置に対する所定の制御内容を関連付けて管理する制御内容管理手段と、
制御内容がまとめて調整される１又は複数の制御対象装置を識別するための所定の調整対象識別情報、及び当該所定の調整対象識別情報で示される各制御対象装置を識別するための各制御対象識別情報を関連付けて管理する調整対象管理手段と、
前記検知装置から、当該検知装置と通信可能な特定の制御対象装置を識別するための特定の制御対象識別情報、及び、前記特定の制御対象装置が存在する特定空間における熱源の有無を示す特定の熱源有無情報を受信する受信手段と、
前記制御内容管理手段において前記受信された特定の熱源有無情報に対応する特定の制御内容を示す制御データを、前記特定の制御対象装置へ送信する送信手段と、
を有し、
前記受信手段は、前記移動体端末から、前記特定の調整対象識別情報、及び当該特定の調整対象識別情報で示される制御対象装置に対する制御内容を調整するための調整度を受信し、
前記送信手段は、前記調整対象管理手段において前記受信された特定の調整対象識別情報に対応する特定の制御対象識別情報で示される特定の制御対象装置に対して、前記調整度を示す調整データを送信する制御内容管理システム。
【請求項２】
請求項１に記載の制御内容管理システムであって、
前記受信された特定の調整対象識別情報、及び前記調整度を関連付けて管理する調整度管理手段を有し、
前記送信手段は、前記調整度管理手段で管理された特定の調整対象識別情報が前記調整対象管理手段において対応する特定の制御対象識別情報で示される特定の制御対象装置に対して、前記調整データを送信することを特徴とする制御内容管理システム。
【請求項３】
請求項１に記載の制御内容管理システムであって、
前記受信手段によって受信された調整度に基づいて、前記調整データを生成する生成手段を有することを特徴とする制御内容管理システム。
【請求項４】
前記制御対象装置は照明機器であり、前記調整度は前記照明機器の調光度を示す請求項１に記載の制御内容管理システム。
【請求項５】
前記照明機器は、ＬＥＤ照明器具である請求項４に記載の制御内容管理システム。
【請求項６】
前記制御対象装置は空調機器であり、前記調整度は前記空調機器に設定される温度の変更度を示す請求項１に記載の制御内容管理システム。
【請求項７】
請求項１に記載の制御内容管理システムと、
前記検知装置と、
を有する電力制御システム。
【請求項８】
所定空間の温度を検知する検知装置、及び移動体端末と通信可能であり、前記所定空間における制御対象装置の制御内容を管理する制御内容管理システムが実行する制御内容管理方法であって、
前記制御内容管理システムは、
前記所定空間における熱源の有無を示す所定の熱源有無情報、及び前記所定空間における制御対象装置に対する所定の制御内容を関連付けて管理する制御内容管理手段と、
制御内容がまとめて調整される１又は複数の制御対象装置を識別するための所定の調整対象識別情報、及び当該所定の調整対象識別情報で示される各制御対象装置を識別するための各制御対象識別情報を関連付けて管理する調整対象管理手段と、
を有し、
前記制御内容管理システムは、
前記検知装置から、当該検知装置と通信可能な特定の制御対象装置を識別するための特定の制御対象識別情報、及び、前記特定の制御対象装置が存在する特定空間における熱源の有無を示す特定の熱源有無情報を受信する受信ステップと、
前記制御内容管理手段において前記受信された特定の熱源有無情報に対応する特定の制御内容を示す制御データを、前記特定の制御対象装置へ送信する送信ステップと、
を実行し、
前記受信ステップは、前記移動体端末から、前記特定の調整対象識別情報、及び当該特定の調整対象識別情報で示される制御対象装置に対する制御内容を調整するための調整度を受信する処理を含み、
前記送信ステップは、前記調整対象管理手段において前記受信された特定の調整対象識別情報に対応する特定の制御対象識別情報で示される特定の制御対象装置に対して、前記調整度を示す調整データを送信する処理を含む制御内容管理方法。
【請求項９】
コンピュータに、請求項８に記載の方法を実行させるプログラム。
【発明の詳細な説明】
【技術分野】
【０００１】
本発明は、所定空間における制御対象システムの制御内容を管理する発明に関する。
【背景技術】
【０００２】
オフィス等の空間を領域で区画してみると、人間（利用者）がいる領域といない領域が混在するのが通常である。利用者がいる領域では、その利用者の業務に支障が生じないように照明機器を点灯させる必要があり、利用者がいない領域では、照明機器を点灯させる必要がない。電力の無駄をなくす為には、照明機器をＯＦＦにしたほうがよい。従来、サーモパイルによる温度分布センサにより、利用者の存在の有無を検知し、利用者が存在しない領域間に対しては、照明機器をＯＦＦにすることで省エネを実現している（特許文献１参照）。
【発明の概要】
【発明が解決しようとする課題】
【０００３】
しかしながら、特許文献１に記載の装置では、一律に利用者の有無によって照明機器を制御するため、実態に合った調光の制御を行なうことができなかった。
【課題を解決するための手段】
【０００４】
請求項１に係る発明は、所定空間の温度を検知する検知装置、及び移動体端末と通信可能であり、前記所定空間における制御対象装置の制御内容を管理する制御内容管理システムであって、前記所定空間における熱源の有無を示す所定の熱源有無情報、及び前記所定空間における制御対象装置に対する所定の制御内容を関連付けて管理する制御内容管理手段と、制御内容がまとめて調整される１又は複数の制御対象装置を識別するための所定の調整対象識別情報、及び当該所定の調整対象識別情報で示される各制御対象装置を識別するための各制御対象識別情報を関連付けて管理する調整対象管理手段と、前記検知装置から、当該検知装置と通信可能な特定の制御対象装置を識別するための特定の制御対象識別情報、及び、前記特定の制御対象装置が存在する特定空間における熱源の有無を示す特定の熱源有無情報を受信する受信手段と、前記制御内容管理手段において前記受信された特定の熱源有無情報に対応する特定の制御内容を示す制御データを、前記特定の制御対象装置へ送信する送信手段と、を有し、前記受信手段は、前記移動体端末から、前記特定の調整対象識別情報、及び当該特定の調整対象識別情報で示される制御対象装置に対する制御内容を調整するための調整度を受信し、前記送信手段は、前記調整対象管理手段において前記受信された特定の調整対象識別情報に対応する特定の制御対象識別情報で示される特定の制御対象装置に対して、前記調整度を示す調整データを送信する制御内容管理システムである。
【発明の効果】
【０００５】
以上説明したように本発明によれば、熱源の有無によって制御内容を定めた後に、移動体端末からの要求に基づいて制御内容を調整することができる。これによって、より実態に合った調光の制御を行なうことができるという効果を奏する。
【図面の簡単な説明】
【０００６】
【図１】図１は、本発明の実施形態に係る電力制御システム全体の概略図である。
【図２】図２は、制御対象システムが蛍光灯型ＬＥＤ照明機器の場合の外観構成図である。
【図３】図３は、検知装置のハードウェア構成図である。
【図４】図４は、移動体端末のハードウェア構成図である。
【図５】図５は、制御内容管理システムのハードウェア構成図である。
【図６】図６は、電力制御システムの各機能構成図である。
【図７】図７（Ａ）は、制御対象システムのレイアウト情報の概念図、図７（Ｂ）は、居室αのレイアウト情報の概念図である。
【図８】図８は、制御内容管理テーブルの概念図である。
【図９】図９は、調整度管理テーブルの概念図である。
【図１０】図１０は、消費量管理テーブルの概念図である。
【図１１】図１１は、利用者管理テーブルの概念図である。
【図１２】図１２は、調整対象管理テーブルの概念図である。
【図１３】図１３は、調整範囲管理テーブルの概念図である。
【図１４】図１４は、調整範囲の登録画面例を示す図である。
【図１５】図１５は、電力制御システムの処理を示したシーケンス図である。
【図１６】図１６（Ａ）は、温度分布を示した概念図、図１６（Ｂ）は、熱源の有無を示す熱源データの概念図である。
【図１７】図１７は、１つの居室における全ての熱源の有無を示す熱源データの概念図である。
【図１８】図１８は、制御内容の調整処理を示したシーケンス図である。
【図１９】図１９は、照明調整の際の移動体端末の画面遷移図である。
【図２０】図２０は、空調調整の際の移動体端末の画面遷移図である。
【図２１】図２１は、電力消費量を表示するための処理を示したシーケンス図である。
【図２２】図２２は、電力消費量を表示する際の移動体端末の画面遷移図である。
【発明を実施するための形態】
【０００７】
以下、図面を用いて、本発明の実施形態について説明する。
【０００８】
＜＜電力制御システムの概略＞＞
図１は、本発明の実施形態に係る電力制御システム全体の概略図である。図１に示されているように、本実施形態の電力制御システム１は、所定空間の一例である居室αの天井β側に設置された複数の制御対象システム（２Ａ１１，２Ａ１２，２Ａ１３，２Ａ２１，２Ａ２２，２Ａ２３，２Ａ３１，２Ａ３２，２Ａ３３）、制御対象システム２Ｘ１１、無線ルータ６、及び制御内容管理システム９によって構築されている。
【０００９】
また、制御対象システム（２Ａ１１，２Ａ１２，２Ａ１３，２Ａ２１，２Ａ２２，２Ａ２３，２Ａ３１，２Ａ３２，２Ａ３３）は、図１に示されているように、天井βが９分割された各領域にそれぞれ設置されている。そして、真ん中の制御対象システム２Ａ２２には、検知装置３が設けられている。なお、以降、制御対象システム（２Ａ１１，２Ａ１２，２Ａ１３，２Ａ２１，２Ａ２２，２Ａ２３，２Ａ３１，２Ａ３２，２Ａ３３）のうち、任意の制御対象システムを示す場合には「制御対象システム２Ａ」と示す。また、制御対象システム２Ｘ１１、及び後述の制御対象システム（２Ｘ１２，２Ｘ２１，２Ｘ２２）うち、任意の制御対象システムを示す場合には「制御対象システム２Ｘ」と示す。一領域は、例えば、７０ｃｍ×７０ｃｍの正方形の範囲である。
【００１０】
制御対象システム２Ａは、蛍光灯型ＬＥＤ(Light Emitting Diode)照明機器である。このうち、特に制御対象システム２Ａ２２の検知装置３は、サーモパイル(Thermopile)の機能によって、居室α内を複数領域（ここでは、９領域）に分けた温度分布を検出し、熱源の有無を示す熱源データを無線送信する。制御対象システム２Ｘ１１は、エアコンである。
【００１１】
無線ルータ６は、検知装置３から送信された熱源データを受信し、通信ネットワーク７を介して制御内容管理システム９に送信する。通信ネットワーク７は、ＬＡＮ(Local Area Network)によって構築されており、一部にインターネットが含まれる場合もある。
【００１２】
制御内容管理システム９は、無線ルータ６から送られて来た熱源データ等に基づいて、制御対象システム２Ａ，２Ｘを制御する制御内容を示した制御データを生成し、各制御対象システム２Ａ，２Ｘ１１に送信する。制御対象システム２Ａは、制御データに基づいて、ＬＥＤの調光制御を行なう。制御対象システム２Ｘ１１は、制御データに基づいて、温度、湿度、風力、及び風向の制御を行なう。即ち、制御対象システム２Ａ２２は、居室αの温度分布を検知するだけでなく、自装置のＬＥＤの調光制御を行なう。
【００１３】
また、居室αには、利用者Ａが個人利用する移動体端末７Ａ及び電源タップ２Ｔ１があり、利用者Ｂが個人利用する移動体端末７Ｂ及び電源タップ２Ｔ２がある。移動体端末は、例えば、スマートフォンである。なお、以降、移動体端末７Ａ、７Ｂのうち、任意の移動体端末を示す場合には「移動体端末７」と示す。また、電源タップ２Ｔ１，２Ｔ２のうち、任意の電源タップを示す場合には「電源タップ２Ｔ」と示す。例えば、利用者Ａは、移動体端末７Ａを用いて、制御内容管理システム９に対して、制御対象システムに対する制御内容を調整する要求を行なう。これにより、制御内容管理システム９は、制御内容を調整した制御データを各制御対象システム２Ａ，２Ｘに送信することで、各制御対象システム２Ａの調光度や、各制御対象システム２Ｘの温度等を調整する。
【００１４】
更に、制御内容管理システム９は、制御対象システム２Ａ，２Ｘ及び電源タップ２Ｔの消費電力量を管理することができる。制御内容管理システム９は、電力量計から所定の制御対象システム２Ａ，２Ｘ及び電源タップ２Ｔの電力使用量を取得することができる。なお、制御内容管理システム９は、電力量計から所定の制御対象システム２Ａ，２Ｘ及び電源タップ２Ｔから、直接、電力使用量を取得してもよい。この場合、電源タップ２Ｔは、ワットメーター付きの電源タップであると共に、ＬＡＮ(Local Area Network)を介して、制御内容管理システム９に、自装置を識別するための個人利用対象ＩＤ(identification)及び電力使用量を送信する。
【００１５】
また、利用者Ａは、自己の移動体端末７Ａから制御内容管理システム９にアクセスして、制御内容管理システム９から自己の一定期間（例えば、１ヶ月間）の消費電力量を示す消費データを取得することができる。
【００１６】
＜＜制御対象システムの概略＞＞
次に、図２を用いて、制御対象システム２Ａ及び制御対象システム２Ａを取り付けるための装置本体について説明する。図２は、制御対象システムが蛍光灯型ＬＥＤ照明機器の場合の外観構成図である。
【００１７】
図２に示されているように、蛍光灯型ＬＥＤ照明機器としての制御対象システム２Ａ２２は、直管型のランプ１３０であり、図１に示されている居室αの天井βの中央部あたりに設置された装置本体１２０に取り付けることができる。装置本体１２０の両端部には、それぞれソケット１２１ａ及びソケット１２１ｂが設けられている。このうち、ソケット１２１ａは、ＬＥＤランプ１３０に給電する給電端子（１２４ａ１、１２４ａ２）を有する。また、ソケット１２１ｂも、ＬＥＤランプ１３０に給電する給電端子（１２４ｂ１，１２４ｂ２）を有する。これにより、装置本体１２０は、電源からの電力をＬＥＤランプ１３０に供給することができる。
【００１８】
一方、ＬＥＤランプ１３０は、透光性カバー１３１と、この透光性カバー１３１の両端部にそれぞれ設けられる口金（１３２ａ，１３２ｂ）と、透光性カバー１３１の内部に検知装置３を有する。このうち、透光性カバー１３１は、例えば、アクリル樹脂等の樹脂材料で形成され、内部の光源を覆う様に設けられる。
【００１９】
更に、口金１３２ａには、ソケット１２１ａの給電端子（１２４ａ１，１２４ａ２）にそれぞれ接続される端子ピン（１５２ａ１，１５２ａ２）が設けられている。また、口金１３２ｂには、ソケット１２１ｂの給電端子（１２４ｂ１，１２４ｂ２）にそれぞれ接続される端子ピン（１５２ｂ１，１５２ｂ２）が設けられている。そして、ＬＥＤランプ１３０が装置本体１２０に装着されることで、装置本体１２０から各給電端子（１２４ａ１，１２４ａ２，１２４ｂ１，１２４ｂ２）を介して、各端子ピン（１５２ａ１，１５２ａ２，１５２ｂ１，１５２ｂ２）からの電力供給が可能となる。これにより、ＬＥＤランプ１３０は、透光性カバー１３１を介して外部に光を照射する。また、検知装置３は、装置本体１２０から供給される電力で動作する。
【００２０】
＜＜電力制御システムのハードウェア構成＞＞
以下、電力制御システムを構成する主要部である検知装置３及び制御内容管理システムのハードウェア構成について説明する。
【００２１】
＜検知装置のハードウェア構成＞
次に、図３を用いて、検知装置のハードウェア構成を説明する。なお、図３は、検知装置のハードウェア構成図である。検知装置３は、無線モジュール３０１、アンテナＩ／Ｆ３０２、アンテナ３０２ａ、センサドライバ３０４、温度分布センサ３１１、照度センサ３１２、温湿度センサ３１３、装置コントローラ３１５、及び、上記各構成要素を電気的に接続するためのアドレスバスやデータバス等のバスライン３１０を備えている。
【００２２】
これらのうち、無線モジュール３０１は、無線通信を行なうための部品であり、Ｂｌｕｅｔｏｏｔｈ(登録商標)、ＷｉＦｉ、又はＺｉｇＢｅｅ等の通信方式による通信を行なうことができ、アンテナＩ／Ｆ３０２及びアンテナ３０２ａを介して、外部の装置との無線通信を実現する。なお、通信方式は、無線通信だけでなく、Ｅｔｈｅｒｎｅｔ（登録商標）ケーブルやＰＬＣ（Power Line Communications）などの有線通信であってもよい。無線モジュール３０１は、通信制御プログラムの制御下で動作する。
【００２３】
温度分布センサ３１１は、赤外線を検知することにより居室α内の温度分布を検知するサーモパイル型のセンサである。
【００２４】
照度センサ３１２は、居室α内の明るさを検知するセンサである。温湿度センサ３１３は、居室αの温度及び湿度を検知するセンサである。
【００２５】
センサドライバ３０４は、温度分布センサ３１１、照度センサ３１２、及び温湿度センサ３１３を駆動させ、更に、温度分布センサ３１１から出力された温度分布データから、熱源の有無を示す熱源データを生成する回路である。なお、センサドライバ３０４は、ソフトウェアによって機能を実現してもよい。装置コントローラ３１５は、制御対象システム２Ａ内に設けられている場合、ＬＥＤの調光の制御を行なうための回路である。また、装置コントローラ３１５は、制御対象システム２Ｘ１１内に設けられている場合、エアコンの風量等の制御を行なうための回路である。これらの回路は、ソフトウェア（例えばＲＡＭのようなメモリに格納された検出制御プログラム）の制御下で動作するプログラムによって動作する。なお、制御対象システム２Ａ２２以外の制御対象システム２Ａは、図３に示されている構成のうち、無線モジュール３０１、アンテナＩ／Ｆ３０２、アンテナ３０２ａ、バスライン３１０、及び装置コントローラ３１５を備えている。
【００２６】
＜移動体端末のハードウェア構成＞
次に、移動体端末のハードウェア構成について説明する。なお、図４は、移動体端末のハードウェア構成図である。
【００２７】
図５に示されているように、移動体端末７の一例としてのスマートフォンは、ＣＰＵ７０１、ＲＯＭ７０２、ＲＡＭ７０３、ＥＥＰＲＯＭ７０４、ＣＭＯＳセンサ７０５、加速度・方位センサ７０６、メディアＩ／Ｆ７０８、ＧＰＳ受信部７０９を備えている。
【００２８】
これらのうち、ＣＰＵ７０１は、移動体端末７全体の動作を制御する。ＲＯＭ７０２は、ＣＰＵ７０１やＩＰＬ等のＣＰＵ７０１の駆動に用いられるプログラムを記憶する。ＲＡＭ７０３は、ＣＰＵ７０１のワークエリアとして使用される。ＥＥＰＲＯＭ（Electrically Erasable and Programmable ROM）７０４は、ＣＰＵ７０１の制御にしたがって、移動体端末用プログラム等の各種データの読み出し又は書き込みを行う。ＣＭＯＳ(Complementary Metal Oxide Semiconductor)センサ７０５は、ＣＰＵ７０１の制御に従って被写体を撮像し画像データを得る。加速度・方位センサ７０６は、地磁気を検知する電子磁気コンパスやジャイロコンパス、加速度センサ等の各種センサである。メディアＩ／Ｆ７０８は、フラッシュメモリ等の記録メディア７０７に対するデータの読み出し又は書き込み（記憶）を制御する。ＧＰＳ受信部７０９は、ＧＰＳ衛星からＧＰＳ信号を受信する。
【００２９】
また、スマートフォンは、遠距離通信回路７１１、カメラ７１２、撮像素子Ｉ／Ｆ、マイク７１４、スピーカ７１５、音入出力Ｉ／Ｆ、ディスプレイ７１７、外部機器接続Ｉ／Ｆ７１８、近距離通信回路７１９、近距離通信回路のアンテナ７１９ａ、及びタッチパネル７２１を備えている。
【００３０】
これらのうち、遠距離通信回路７１１は、移動体通信網等の通信ネットワーク２を介して、他の機器と通信する回路である。カメラ７１２は、ＣＰＵ７０１の制御に従って被写体を撮像して画像データを得る内蔵型の撮像手段の一種である。撮像素子Ｉ／Ｆ７１３は、カメラ７１２の駆動を制御する回路である。マイク７１４は、音声を入力する内蔵型の集音手段の一種である。音入出力Ｉ／Ｆ７１６は、ＣＰＵ７０１の制御に従ってマイク７１４及びスピーカ７１５との間で音信号の入出力を処理する回路である。ディスプレイ７１５は、被写体の画像や各種アイコン等を表示する液晶や有機ＥＬなどの表示手段の一種である。外部機器接続Ｉ／Ｆ７１８は、各種の外部機器を接続するためのインターフェースである。近距離通信回路７１９は、ＮＦＣ（登録商標）、Ｂｌｕｅｔｏｏｔｈ（登録商標）等の通信回路である。タッチパネル７２１は、利用者がディスプレイ７１７を押下することで、スマートフォンを操作する入力手段の一種である。
【００３１】
また、バスライン７１０は、図５に示されているＣＰＵ７０１等の各構成要素を電気的に接続するためのアドレスバスやデータバス等である。
【００３２】
なお、移動体端末７は、スマートフォンだけでなく、ノートＰＣ、タプレット端末、スマートウォッチ、携帯電話機、又は携帯ゲーム機等であってもよい。
【００３３】
また、上記各プログラムは、インストール可能な形式又は実行可能な形式のファイルで、コンピュータで読み取り可能な記録媒体に記録して流通させるようにしてもよい。録媒体の例として、ＣＤ−Ｒ(Compact Disc Recordable)、ＤＶＤ(Digital Versatile Disk)、ブルーレイディスク、ＳＤカード等が挙げられる。
【００３４】
＜制御内容管理システムのハードウェア構成＞
次に、制御内容管理システムのハードウェア構成について説明する。なお、図５は、制御内容管理システムのハードウェア構成図である。
【００３５】
制御内容管理システム９は、コンピュータによって構成されている。そして、制御内容管理システム９は、制御内容管理システム９全体の動作を制御するＣＰＵ９０１、ＩＰＬ(Initial Program Loader)等のＣＰＵ９０１の駆動に用いられるプログラムを記憶したＲＯＭ９０２、ＣＰＵ９０１のワークエリアとして使用されるＲＡＭ９０３、位置情報管理プログラム等の各種データを記憶するＨＤ９０４、ＣＰＵ９０１の制御にしたがってＨＤ９０４に対する各種データの読み出し又は書き込みを制御するＨＤＤ(Hard Disk Drive)９０５、フラッシュメモリ等の記録メディア９０６に対するデータの読み出し又は書き込み（記憶）を制御するメディアＩ／Ｆ９０７、カーソル、メニュー、ウィンドウ、文字、又は画像などの各種情報を表示するディスプレイ９０８、通信ネットワーク７を利用してデータ通信するためのネットワークＩ／Ｆ９０９、文字、数値、各種指示などの入力のための複数のキーを備えたキーボード９１１、各種指示の選択や実行、処理対象の選択、カーソルの移動などを行うマウス９１２、着脱可能な記録媒体の一例としてのＣＤ−ＲＯＭ(Compact Disc Read Only Memory)９１３に対する各種データの読み出し又は書き込みを制御するＣＤ−ＲＯＭドライブ９１４、及び、上記各構成要素を電気的に接続するためのアドレスバスやデータバス等のバスライン９１０を備えている。
【００３６】
＜＜電力制御システムの機能構成＞＞
続いて、図６を用いて、検知装置３を含む制御対象システム２Ａ２２、制御対象システム２Ａ１１（２Ｘ）及び制御内容管理システム９のハードウェア構成について説明する。図６は、電力制御システムの各機能構成図である。
【００３７】
＜制御対象システム２Ａ２２の機能構成＞
まずは、制御対象システム２Ａ２２の機能構成について説明する。制御対象システム２Ａ２２は、検知装置３及び制御対象装置２０によって構成されている。更に、検知装置３は、機能又は手段として、送受信部３１、検知部３２、判断部３３、生成部３４、及び制御部３５を有している。制御対象装置２０は、例えば、調光制御の対象であるＬＥＤランプ１３０である。
【００３８】
検知装置３のうち、送受信部３１は、無線モジュール内のプログラムに従った命令によって動作することで実現される機能又は手段である。例えば、送受信部３１は、通信ネットワーク２を介して、制御内容管理システム９とデータの送受信を行う。
【００３９】
検知部３２は、各センサ３１１、３１２、３１３が動作することで実現される機能又は手段である。例えば、検知部３２は、所定空間内の各領域の温度分布を検知する。
【００４０】
判断部３３は、センサドライバ３０４が動作することで実現される機能又は手段である。例えば、判断部３３は、所定領域の温度が所定範囲（例えば、３０℃〜３５℃）内であるかを判断する。
【００４１】
生成部３４は、センサドライバ３０４が動作することで実現される機能又は手段である。例えば、生成部３４は、判断部３３の判断結果に基づいて熱源の有無を示す熱源データを生成する。
【００４２】
制御部３５は、装置コントローラ３１５が動作することで実現される機能又は手段である。例えば、制御部３５は、制御内容管理システム９から送られて来た制御データに基づいて、制御対象装置２０に出力するための制御信号を生成する。
【００４３】
＜制御対象システム２Ａ１１の機能構成＞
次に、制御対象システム２Ａ１１の機能構成について説明する。制御対象システム２Ａ１１は、通信装置５及び制御対象装置２０によって構成されている。更に、通信装置５は、機能又は手段として、送受信部５１、及び制御部５５を有している。制御対象装置２０は、例えば、調光制御の対象であるＬＥＤの発光機能である。なお、エアコンとしての制御対象システム２Ｘ１１の場合、制御対象装置２０は、温度、湿度、風力、及び風向の制御を行なうエアコンのコンプレッサ等である。
【００４４】
通信装置５のうち、送受信部５１は、無線モジュール内のプログラムに従った命令によって動作することで実現される機能又は手段である。なお、送受信部５１は、上述の送受信部３１と同様の機能又は手段であるため、その説明を省略する。
【００４５】
制御部５５は、装置コントローラ３１５が動作することで実現される機能又は手段である。なお、制御部５５は、上述の制御部３５と同様の機能又は手段であるため、その説明を省略する。
【００４６】
＜制御内容管理システムの機能構成＞
次に、制御内容管理システムの機能構成について説明する。制御内容管理システム９は、送受信部９１、照合部９２、生成部９４、及び記憶・読出処理部９９を有している。各部は、ＨＤ９０４からＲＡＭ９０３上に展開された位置情報管理プログラムに従ったＣＰＵ９０１からの命令によって動作することで実現される機能又は手段である。更に、制御内容管理システム９は、図５に示されているＲＡＭ９０３、及びＨＤ９０４によって構築される記憶部９０００を有している。また、記憶部９０００には、レイアウト管理ＤＢ９００１、制御内容管理ＤＢ９００２、調整度管理ＤＢ９００３、消費量管理ＤＢ９００４、利用者管理ＤＢ９００５、調整対象管理ＤＢ９００６、及び調整範囲管理ＤＢ９００７が構築されている。
【００４７】
（レイアウト管理ＤＢ）
次に、図７を用いて、レイアウト管理ＤＢ９００１について説明する。レイアウト管理ＤＢ９００１には、図７（Ａ）に示されているような制御対象システムのレイアウト情報、及び図７（Ｂ）に示されているような居室のレイアウト情報が管理されている。なお、図７（Ａ）は制御対象システムのレイアウト情報の概念図、図７（Ｂ）は居室のレイアウト情報の概念図である。
【００４８】
図７（Ａ）に示されているレイアウト情報の各領域は、図７（Ｂ）に示されている実際の居室αのレイアウト上では、波線又は実線で区切られている領域を示している。
【００４９】
また、図７（Ａ）に示されているように、制御対象システムのレイアウト情報は、１つの居室αを５４領域に分割して、それぞれの領域にＬＥＤ照明機器としての制御対象システムを識別するための制御対象ＩＤが管理されている。このうち、制御対象ＩＤが「２」で始まる場合、２Ｆフロアを意味し、次が「ａ」の左上側のブロックが、図１における９領域に対応する。即ち、図１は、居室αの一部を示しており、居室αとしては、制御対象ＩＤが、ａ，ｂ，ｃ，ｄ，ｅ，ｆで示される６つのブロックに分けられている。更に、各ブロックは９領域に分けられ、合計５４領域に分けられている。なお、このように分けたのは一例であって、何ブロックに分けてもよいし、１ブロック内を９領域以外の数の領域に分けてもよい。
【００５０】
また、図７（Ａ）のうち、制御対象ＩＤ２ｘ１１，２ｘ１２，２ｘ２１，２ｘ２２は、それぞれエアコンとしての制御対象システム２Ｘ１１，２Ｘ１２，２Ｘ２１，２Ｘ２２を識別するための制御対象ＩＤである。制御対象システム２Ｘ１２，２Ｘ２１，２Ｘ２２は、図１には示されていないが、図７（Ａ）で２ｘ１２，２ｘ２１，２ｘ２２が示されている天井βにそれぞれ設置されている。即ち、居室αの天井βには、４機のエアコンが取り付けられている。
【００５１】
また、図７（Ｂ）には、机や椅子が配置されている実際のレイアウトが示されている。図７（Ｂ）においても、図７（Ａ）の居室と同じ居室内を５４領域に分割している。即ち、図７（Ｂ）の各領域の位置は、図７（Ａ）の各領域の位置と同じである。図７（Ｂ）では、紙面下側が廊下γ側になっており、紙面上側が窓側になっている。
【００５２】
（制御内容管理ＤＢ）
次に、図８を用いて、制御内容管理ＤＢ９００２について説明する。制御内容管理ＤＢには、図８（Ａ）に示されているように、エアコン等の空調機器に関する制御内容管理テーブル、及び図８（Ｂ）に示されているように、ＬＥＤ等の照明機器に関する制御内容管理テーブルが管理されている。各制御内容管理テーブルでは、熱源有無情報毎に、制御対象装置２０に対する制御内容が関連付けて管理されている。
【００５３】
図８（Ａ）において、例えば、熱源有無情報が、熱源がある旨を示す「１」の場合には、その領域に人がいるため、エアコンの温度を２４℃にしている。これに対して、熱源有無情報が、熱源がない旨を示す「０」の場合には、その領域に人がいないため、省エネを実現すべく、夏は＋３℃（つまり、２７℃）、冬は−２３℃（つまり、２２℃）にしている。なお、２４℃及び±３℃は、一例であって、２５℃及び±４℃等であってもよい。
【００５４】
また、例えば、熱源有無情報が、熱源がある旨を示す「１」の場合には、その領域に人がいるため、ＬＥＤの光量を最大にすべく調光度を１００％にしている。これに対して、熱源有無情報が、熱源がない旨を示す「０」の場合には、その領域に人がいないため、省エネを実現すべくＬＥＤの光量を若干下げて６０％にしている。なお、１００％及び６０％は、一例であって、９０％及び５０％等、熱源「１」の調光度が熱源「０」の調光度よりも高ければ、何パーセントであってもよい。また、制御内容が温度ではなく、湿度、風量、風向等であってもよい。
【００５５】
（調整度管理テーブル）
次に、図９を用いて、調整度管理ＤＢ９００３について説明する。調整度管理ＤＢ９００３には、図９に示されているような調整度管理テーブルが管理されている。この調整度管理テーブルでは、利用者ＩＤ毎に、調整日時、照明調整として調整対象ＩＤ及び調整度、並びに、空調調整として調整対象ＩＤ及び調整度が関連付けて管理されている。このうち、利用者ＩＤは、各利用者を識別するための利用者識別情報の一例である。調整日時は、利用者が移動体端末を利用して、照明の制御内容又は空調の制御内容を調整した日時を示す。調整対象ＩＤは、利用者によって調整された対象を識別するための調整対象識別情報の一例である。調整度は、照明機器の場合には調光度を示し、空調機器の場合には温度の変更度を示す。
【００５６】
例えば、調整度管理テーブル（図９参照）の一番上のレコードは、制御内容管理テーブル（図８参照）において、利用者Ａが居室αに存在するため、制御内容管理システム９が、調光度を１００％に制御した場合であっても、利用者ＩＤ「Ｕ００１」の利用者が移動体端末７を利用して、２０１６年１月１０日１０：００に、調整対象ＩＤ「Ｌ０３０１」の調整対象の調光度を１０％下げる要求をしたことを管理している。
【００５７】
（消費量管理テーブル）
次に、図１０を用いて、消費量管理ＤＢ９００４について説明する。消費量管理ＤＢ９００４には、図１０に示されているような消費量管理テーブルが管理されている。この消費量管理テーブルでは、電力消費対象ＩＤと、一定期間（例えば、１ヶ月間）の電力消費量が関連付けて管理されている。このうち、電力消費対象ＩＤには、調整対象ＩＤ及び個人利用対象ＩＤの２種類がある。調整対象ＩＤは、調整度管理テーブル（図９参照）の調整対象ＩＤと同様の内容を示す。個人利用対象ＩＤは、例えば、電源タップ２Ｔのように、利用者が個人的に利用している機器を識別するための個人利用対象識別情報の一例である。
【００５８】
（利用者管理テーブル）
次に、図１１を用いて、利用者管理ＤＢ９００５について説明する。利用者管理ＤＢ９００５には、図１０に示されているような利用者管理テーブルが管理されている。この利用者管理テーブルでは、利用者ＩＤ、利用者名、パスワード、調整範囲ＩＤ、及び個人利用対象ＩＤが関連付けて管理されている。このうち、利用者ＩＤは、調整度管理テーブル（図９参照）の利用者ＩＤと同様である。調整範囲ＩＤは、利用者が制御内容を調整可能な制御対象の範囲を示す調整範囲識別情報の一例である。個人利用対象ＩＤは、消費量管理テーブル（図１０参照）の個人利用対象ＩＤと同様である。例えば、電源タップ２Ｔのように、個人が利用する機器で、利用者が移動体端末７を利用して調整することができない機器の場合には、調整範囲ではなく、個人利用対象ＩＤが管理される。
【００５９】
（調整対象管理テーブル）
次に、図１２を用いて、調整対象管理ＤＢ９００６について説明する。調整対象管理ＤＢ９００６には、図１２（Ａ）に示されているように、エアコン等の空調機器に関する調整対象管理テーブル、及び図８（Ｂ）に示されているように、ＬＥＤ等の照明機器に関する調整対象管理テーブルが管理されている。各調整対象管理テーブルでは、調整対象ＩＤ、調整対象名、及び制御対象ＩＤが関連付けて管理されている。このうち、調整対象ＩＤは、調整度管理テーブル（図９参照）における調整対象ＩＤと同様である。調整対象名は、調整対象ＩＤで示される調整対象の名称である。制御対象ＩＤは、レイアウト情報（図７（Ａ）参照）に示されている各制御対象ＩＤと同様である。図１２（Ａ），（Ｂ）に示されているように、単一の調整対象ＩＤに対して、複数の制御対象ＩＤが関連付けられている。これにより、例えば、図１２（Ａ）に示されているように、利用者が、単一の調整対象を選択すると、これに関連付けられている複数の制御対象ＩＤで示される空調機器が同時に調整される。
【００６０】
（調整範囲管理テーブル）
次に、図１３を用いて、調整範囲管理ＤＢ９００７について説明する。調整範囲管理ＤＢ９００７には、図１３に示されているように、調整範囲ＩＤ毎に、調整範囲名、及び調整対象ＩＤが関連付けて管理されている。このうち、調整範囲ＩＤは、調整範囲を識別するための調整範囲識別情報の一例である。調整範囲名は、調整範囲ＩＤで示される調整範囲の名称である。調整対象ＩＤは、調整対象管理テーブル（図１２参照）の調整対象ＩＤと同様である。
【００６１】
本実施形態では、制御内容管理システム９の管理者が、図１４に示されているように、制御内容管理システム９における調整範囲の登録画面１０００に対して、所定の入力及び選択を行なうことで、各利用者の調整範囲を登録することができる。図１４は、調整範囲の登録画面例を示す図である。
【００６２】
例えば、図１４において、管理者が、登録すべき利用者ＩＤの入力欄１００１又は利用者名の入力欄１００２、及び利用者のパスワードの入力欄１００３に所定の入力を行ない、複数の調整範囲名のプルダウンメニュー１１００から所定の調整範囲名１１１０を選択し、「登録」ボタンを押下すると、利用者が調整できる調整対象の範囲が、制御内容管理システム９に登録される。これにより、利用者は、自分の調整範囲内の調整対象であれば、制御内容を調整することができる。なお、現在の調整範囲欄１０１１は、既に調整範囲が登録されている場合に、管理者が利用者ＩＤ又は利用者名及びパスワードを入力し、「検索」ボタン１０２２を押下すると、入力された利用者ＩＤ又は利用者名に係る利用者の調整範囲名を表示する欄である。また、調整範囲名が表示された状態で、管理者が「削除」ボタン１０２２を押下すると、既に登録されている調整範囲が削除される。
【００６３】
（制御内容管理システムの各機能構成）
次に、図６を用いて、制御内容管理システム９の各機能構成について説明する。
【００６４】
図６に示されている送受信部９１は、例えば、検知装置３から検知データを受信したり、検知装置３に制御データを送信したりする。
【００６５】
照合部９２は、例えば、後述の図７（Ａ）に示されているレイアウト情報と、後述の図１７に示されている熱源データを照合する。
【００６６】
生成部８４は、例えば、制御対象システム２Ａ，２Ｘに対する調光度を示す制御データを生成する。
【００６７】
記憶・読出処理部９９は、例えば、記憶部８０００からデータを読み出したり、記憶部８０００にデータを記憶したりする。
【００６８】
＜＜電力制御システムの処理又は動作＞＞
以下、図１５乃至図２４用いて、電力制御システムの処理又は動作について説明する。図１５は、電力制御システムの処理を示したシーケンス図である。図１６（Ａ）は温度分布を示した概念図、図１６（Ｂ）は熱源の有無を示す熱源データの概念図である。図１７は、１つの居室における全ての熱源の有無を示す熱源データの概念図である。
【００６９】
ここでは、制御内容管理システム９が、図１に示されている御対象システム２Ａ２２で検知された各種データに基づいて、各制御対象システム２Ａ２２，２Ａ１１等を制御するための制御データを生成し、各制御対象システム２Ａ２２，２Ａ１１等に制御データを送信することで、各制御対象システム２Ａ２２，２Ａ１１等が調光の制御を行なう処理が開示されている。なお、説明の簡略化のため、制御対象システム２Ａ，２Ｘのうち、検知装置３を備えた制御対象システム２Ａ２２、及び通信装置５を備えた制御対象システム２Ａ１１の処理について説明する。
【００７０】
まず、図１５に示されているように、照明機器である制御対象システム２Ａ２２の検知部３２が、居室αにおける各領域の温度分布を検知する（ステップＳ２１）。そして、判断部３３が、領域毎に温度が所定範囲値（例えば、３０℃〜３５℃）内であるか否かを判断し、生成部３４が、判断結果に基づいて熱源データを生成する（ステップＳ２２）。
【００７１】
ここで、図１６を用いて、熱源データの生成について説明する。検知部３２が各領域の温度を検知した結果、９つの領域の温度分布が図１６（Ａ）に示される状態になった場合、生成部３４は、図１６（Ｂ）に示されるような熱源データを生成する。即ち、熱源データは、熱源の有無を示す熱源有無情報によって示されており、温度が３０℃以上の領域は「１」として表し、温度が３０℃未満の領域は「０」として表している。
【００７２】
また、制御対象システム２Ａ２２の検知部３２は、制御対象システム２Ａ２２付近の照度、温度、及び湿度を検知する（ステップＳ２３）。そして、送受信部３１は、制御内容管理システム９に対して、検知データを送信する（ステップＳ２４）。この検知データには、制御対象システム２Ａ２２の制御対象装置２０を識別するための制御対象ＩＤ、ステップＳ２２によって生成された熱源データ、及びステップＳ２３によって検知された結果を示す温湿度データ及び照度データが含まれている。これにより、制御内容管理システム９の送受信部９１は、検知データを受信する。そして、送受信部９１が、各プロックから送られて来た熱源データを合わせた状態のデータが、図１７に示されている。図１７は、１つの居室における全ての熱源の有無を示す熱源データの概念図である。例えば、図１６（Ｂ）に示されている熱源データは、図１７における左上の第１ブロックを構成している。
【００７３】
次に、制御内容管理システム９の記憶・読出処理部５９は、レイアウト管理ＤＢ９００１から、図７（Ａ）に示されているレイアウト情報を読み出す（ステップＳ２５）。そして、照合部９２は、図７（Ａ）に示されているレイアウト情報と、図１７に示されている熱源データを照合する（ステップＳ２６）。この照合により、例えば、レイアウト情報における制御対象システムの位置（２ａ１１）には、熱源データにより、「１」即ち「熱源がある」ということになる。
【００７４】
次に、制御内容管理システム９の記憶・読出処理部５９は、熱源データにおいて熱源の有無を示す「１」、「０」を検索キーとして、制御内容管理ＤＢ９００２を検索することにより、対応する調光度を読み出す（ステップＳ２７）。
【００７５】
次に、記憶・読出処理部５９は、ステップＳ２４によって受信された調整対象ＩＤを検索キーとして、調整対象管理テーブル（図１２参照）を検索することにより、対応する調整対象ＩＤを読み出す（ステップＳ２８）。そして、記憶・読出処理部５９は、ステップＳ２８によって読み出した調整対象ＩＤを検索キーとして、調整度管理テーブル（図９参照）を検索することにより、過去の一定期間（例えば、１ヶ月間）の調整度を読み出す（ステップ２９）。
【００７６】
そして、生成部８４は、制御対象システム２Ａ１１に対する制御内容を示す制御データを生成する（ステップＳ３０）。この場合、例えば、ステップＳ２７において検索された制御内容に対して、制御内容管理テーブル（図８（Ｂ）参照）において過去の調整度の平均値を加えて、調整後の制御内容を示す制御データを生成する。なお、エアコンとしての制御対象システム２Ｘの場合、生成部８４は、温度を示す制御データを生成する。
【００７７】
このように、制御内容管理システム９は、熱源の有無によって制御内容を決めるだけでなく、過去の利用者からの調整度を反映させて最終的な制御内容を決定するため、より実態に合った調光の制御を行なうことができるという効果を奏する。
【００７８】
次に、送受信部５１は、制御対象システム２Ａ２２，２Ａ１１に対して、それぞれの制御データを送信する（ステップＳ３１−１，Ｓ３１−２）。これに対して、制御対象システム２Ａ２２の検知装置３における送受信部３１は、制御データを受信する。また、制御対象システム２Ａ１１の通信装置５における送受信部５１は、制御データを受信する。
【００７９】
次に、制御対象システム２Ａ２２では、検知装置３の制御部３５が、制御データに基づいてＬＥＤランプとしての制御対象装置２０に出力するための制御信号を生成し（ステップＳ３２−１）、制御対象装置２０に出力する（ステップＳ３３−１）。これにより、ＬＥＤランプとしての制御対象装置２０の光量が制御される（ステップＳ３４−１）。同様に、制御対象システム２Ａ１１では、通信装置５の制御部５５が、制御データに基づいてＬＥＤランプとしての制御対象装置２０に出力するための制御信号を生成し（ステップＳ３２−２）、制御対象装置２０に出力する（ステップＳ３３−２）。これにより、ＬＥＤランプとしての制御対象装置２０の光量が制御される（ステップＳ３４−２）。
【００８０】
例えば、過去の調整度が無い又は過去の調整度の平均が０の場合、図１６（Ａ）において、制御対象システム２Ａ２２の真下には熱源がないとして「０」で示されているため、制御対象システム２Ａ２２の制御内容は、図８に従い６０％の調光度となる。一方、図１６（Ａ）において、制御対象システム２Ａ１１の真下には熱源があるとして「１」で示されているため、制御対象システム２Ａ１１の制御内容は、図８に従い１００％の調光度となる。これにより、人がいるため熱源が検知された場合には、ＬＥＤの光量を最大値にし、人がいないため熱源が検知されなかった場合には、ＬＥＤの光量が下がるため、省エネを実現することができる。
【００８１】
また、例えば、過去の調整度が有って、過去の調整度の平均が−１０の場合、図１６（Ａ）において、制御対象システム２Ａ２２の真下には熱源がないとして「０」で示されているため、制御対象システム２Ａ２２の制御内容は、図８に従い６０％の調光度となるが、調整後の制御内容は５０％となる。一方、図１６（Ａ）において、制御対象システム２Ａ１１の真下には熱源があるとして「１」で示されているため、制御対象システム２Ａ１１の制御内容は、図８に従い１００％の調光度となるが、調整後の制御内容は９０％となる。
【００８２】
これにより、制御内容管理システム９は、熱源の有無によって制御内容を決めるだけでなく、過去の利用者からの調整度を反映させて（ステップＳ２８，Ｓ２９）、最終的な制御内容を示す制御データを生成し（ステップＳ３０）、制御対象システム２Ａ２２等に送信するため（ステップＳ３１−１，２）、より実態に合った調光の制御を行なうことができるという効果を奏する。
【００８３】
続いて、図１８乃至図２０を用いて、利用者による制御内容の調整処理を説明する。図１８は、制御内容の調整処理を示したシーケンス図である。図１９は、照明調整の際の移動体端末の画面遷移図である。図２０は、空調調整の際の移動体端末の画面遷移図である。ここでは、図１に示されているように、利用者Ａが、自己の移動体端末７Ａを用いて、調整範囲である制御対象としての制御対象システム（２Ａ１１，２Ａ１２，２Ａ１３，２Ａ２１，２Ａ２２，２Ａ２３，２Ａ３１，２Ａ３２，２Ａ３３）の制御内容をまとめて調整する場合について説明する。なお、図１８では、説明の簡略化のため、制御対象システム２Ａ１１に対する制御内容の調整処理を示している。
【００８４】
まず、利用者Ａの操作によって、移動体端末７Ａは、調整用のアプリケーションを起動すると、表示制御部７４は、図１９（Ａ）に示されているように、初期画面７１００を表示させる（ステップＳ４１）。そして、利用者Ａが、「照明調整」アイコンを押下すると、受付部７２は照明調整の開始を受け付けて、表示制御部７４が、図１９（Ｂ）に示されているように、調整対象を選択するための居室のレイアウト図を示す調整対象選択画面７１２０を表示させる（ステップＳ４２）。
【００８５】
次に、利用者Ａが、居室のレイアウト図から調整対象を選択すると、受付部７２は調整対象を受け付けて、表示制御部７４が図１９（Ｃ）に示されているように、調整度を設定するための調整度設定画面７１３０を表示させる（ステップＳ４３）。この調整度設定画面７１３０には、調整対象を示す居室のレイアウト図７１３１、調整度設定部７１３２、及び、前画面に戻るための「戻る」ボタン７１３３、及び、設定した調整対象及び調整度を決定するための「決定」ボタン７１３４が表示されている。調整度設定部７１３２の１メモリは、例えば、１０％の調光度を示している。
【００８６】
次に、利用者Ａが、調整度設定部７１３２において調整度を設定し、「決定」ボタン７１３４を押下すると、受付部７２が、決定の受け付けを行なう（ステップＳ４４）。これにより、移動体端末７Ａの送受信部７１は、制御内容管理システム９に対して、調整要求データを送信する(ステップＳ４５)。この調整要求データには、送信元である移動体端末７Ａの利用者Ａの利用者ＩＤ、ステップＳ４３で受け付けられた調整対象ＩＤ、及びステップＳ４４で受け付けられた調整度が含まれている。これにより、制御内容管理システム９の送受信部９１は、調整要求データを受信する。
【００８７】
次に、制御内容管理システム９の記憶・読出処理部９９は、ステップＳ４５によって受信された調整対象ＩＤを検索キーとして、調整対象管理テーブル（図１２参照）を検索することにより、対応する制御対象ＩＤを読み出す（ステップＳ４６）。
【００８８】
次に、記憶・読出処理部９９は、ステップＳ４５で受信された調整要求データ（利用者ＩＤ、調整対象ＩＤ、調整度）、及び、送受信部７１が調整要求データを受信した日時を示す調整日時を関連付け、調整度管理テーブル（図９参照）で新たなレコードとして記憶して管理する（ステップＳ４７）。そして、生成部９４は、制御対象システム２Ａ１１の制御対象装置２０の制御内容を調整するための調整データを生成する（ステップＳ４８）。この調整データには、ステップＳ４５で受信された調整度が含まれている。
【００８９】
次に、制御内容管理システム９の送受信部９１は、ステップＳ４６で読み出された各制御対象ＩＤで示される各制御対象システム２Ａの検知装置３に対して、調整データを送信する（ステップＳ４９）。ここでは、説明を簡略化するため、ステップＳ４６で読み出された制御対象ＩＤで示される制御対象システム２Ａのうち、制御対象システム２Ａ１１に送信される場合が示されている。これにより、制御対象システム２Ａ１１の検知装置３の送受信部３１は、調整データを受信する。
【００９０】
次に、制御対象システム２Ａ１１では、検知装置３の制御部３５が、調整データに基づいてＬＥＤランプとしての制御対象装置２０に出力するための調整信号を生成し（ステップＳ５０）、制御対象装置２０に出力する（ステップＳ５１）。これにより、ＬＥＤランプとしての制御対象装置２０の光量が調整される（ステップＳ５２）。
【００９１】
なお、図１８では、調光の調整について説明したが、空調の調整についても同様の処理が行なわれる。図２０に、空調の調整の場合の各画面例が示されている。このうち、図２０（Ａ），（Ｂ），（Ｃ）は、それぞれ図１９（Ａ），（Ｂ），（Ｃ）に対応する。また、符号７２２０，７２３０，７２３１，７２３２，７２３３，７２３４は、それぞれ符号７１２０，７１３０，７１３１，７１３２，７１３３，７１３４に対応する。
【００９２】
このように、制御内容管理システム９は、熱源の有無によって制御内容を決めた後に、利用者からの要求（ステップＳ４５）に基づいて、制御内容を調整するための調整データを生成し（ステップＳ４８）、制御対象システム２Ａ１１等に送信するため（ステップＳ４９）、より実態に合った調光の制御を行なうことができるという効果を奏する。
【００９３】
続いて、図２１及び図２２を用いて、電力消費量を表示するための処理を説明する。図２１は、電力消費量を表示するための処理を示したシーケンス図である。図２２は、電力消費量を表示する際の移動体端末の画面遷移図である。
【００９４】
まず、利用者Ａの操作によって、移動体端末７Ａは、調整用のアプリケーションを起動すると、表示制御部７４は、図２２（Ａ）に示されているように、初期画面７１００を表示させる（ステップＳ６１）。そして、利用者Ａが、「見える化」アイコンを押下すると、受付部７２は電力消費量データの要求を受け付ける（ステップＳ６２）。これにより、移動体端末７Ａの送受信部７１は、制御内容管理システム９に対して、消費量要求データを送信する（ステップＳ６３）。この消費量要求データには、送信元である移動体端末７Ａの利用者Ａの利用者ＩＤが含まれている。これにより、制御内容管理システム９の送受信部９１は、消費量要求データを受信する。
【００９５】
次に、制御内容管理システム９の記憶・読出処理部９９は、ステップＳ６３によって受信された利用者ＩＤを検索キーとして、利用者管理テーブル（図１１参照）を検索することにより、対応する調整範囲ＩＤ及び個人利用対象ＩＤを読み出す（ステップＳ６４）。そして、記憶・読出処理部９９は、ステップＳ４６で読み出した調整範囲ＩＤを検索キーとして、調整範囲管理テーブル（図１３参照）を検索することにより、対応する制御対象ＩＤを読み出す（ステップＳ６５）。
【００９６】
次に、記憶・読出処理部９９は、ステップＳ４６で読み出した個人利用対象ＩＤ、及びステップＳ４７で読み出した制御対象ＩＤを検索キーとして、消費量管理テーブル（図１０参照）を検索することにより、対応する各電力消費量を読み出す（ステップＳ６６）。そして、生成部９４は、各電力消費量に基づいてグラフ等のデータ加工を行うことで、消費量データを生成する（ステップ６７）。
【００９７】
次に、制御内容管理システム９の送受信部９１は、ステップＳ６３の送信元である移動体端末７Ａに対して、消費量データを送信する（ステップＳ６８）。これにより、移動体端末７Ａの送受信部７１は、消費量データを受信する。
【００９８】
次に、移動体端末７Ａの表示制御部７３は、図２２（Ｂ）に示されているように、消費量データ表示画面７３２０を表示する（ステップＳ６９）。この消費量データ表示画面７３２０には、レイアウト図、電力消費量等が表示されている。また、消費量データ表示画面７３２０には、初期画面７１００に戻るための「戻る」ボタン７３２３、及び図２２（Ｃ）に示されている消費量データ詳細画面７３３０に進むための「詳細」ボタン７３２４が表示されている。
【００９９】
ここで、利用者Ａが「詳細」ボタン７３２４を押下すると、受付部７２が押下を受け付け、表示制御部７４が、図２２（Ｃ）図２２（Ｃ）に示されている消費量データ詳細画面７３３０を表示する（ステップＳ７０）。この消費量データ詳細画面７３３０には、より詳細な情報が表示されている。また、消費量データ詳細画面７３３０には、消費量データ表示画面７３２０に戻るための「戻る」ボタン７３３３、及び電力消費量の年月を変更するための「変更」ボタン７３３４が表示されている。
【０１００】
このように、制御内容管理システム９は、調整対象ではない個人利用対象としての電源タップ２Ｔの電力消費量だけでなく、調整対象である一群の照明機器や空調機器の電力消費量を数値やグラフ等で表すための消費量データを生成して、移動体端末７に送信するため、利用者は、自分の制御内容の調整が、省エネにどの程度貢献したかを視覚的に把握することができる。これにより、利用者の省エネ意識を向上させ、より省エネのために制御内容の調整を行なう行動へと導くことができる。
【０１０１】
なお、利用者管理テーブル（図１１参照）において、利用者ＩＤと調整範囲ＩＤを関連付け、更に、調整度管理テーブル（図１３参照）において、調整範囲ＩＤと調整対象ＩＤを関連付けることで、結果的に、利用者ＩＤと調整対象ＩＤを関連付けているが、これに限るものではない。例えば、利用者管理テーブル（図１１参照）において、調整範囲ＩＤを調整対象ＩＤに代えることで、利用者ＩＤと調整対象ＩＤを直接関連付けてもよい。
【０１０２】
＜＜本実施形態の主な効果＞＞
以上説明したように本実施形態によれば、制御内容管理システム９は、熱源の有無によって制御内容を決めるだけでなく、過去の利用者からの調整度を反映させて（ステップＳ２８，Ｓ２９参照）、最終的な制御内容を示す制御データを生成し（ステップＳ３０参照）、制御対象システム２Ａ２２等に送信するため（ステップＳ３１−１，２参照）、より実態に合った調光の制御を行なうことができるという効果を奏する。
【０１０３】
また、制御内容管理システム９は、熱源の有無によって制御内容を定めた後に、利用者からの要求（ステップＳ４５参照）に基づいて、制御内容を調整するための調整データを生成し（ステップＳ４８参照）、制御対象システム２Ａ１１等に送信するため（ステップＳ４９参照）、より実態に合った調光の制御を行なうことができるという効果を奏する。
【０１０４】
更に、制御内容管理システム９は、調整対象ではない個人利用対象としての電源タップ２Ｔの電力消費量だけでなく、調整対象である一群の照明機器や空調機器の電力消費量を数値やグラフ等で表すための消費量データを生成して（ステップＳ６７参照）、移動体端末７に送信するため（ステップＳ６８参照）、利用者は、自分の制御内容の調整が、省エネにどの程度貢献したかを視覚的に把握することができる。これにより、利用者の省エネ意識を向上させ、より省エネのために制御内容の調整を行なう行動へと導くことができるという効果を奏する。
【符号の説明】
【０１０５】
１  電力制御システム
２Ａ１１  制御対象システム
２Ａ２２  制御対象システム
２Ｘ１１  制御対象システム
３  検知装置
５  通信装置
６  無線ルータ
７  通信ネットワーク
８  制御内容管理システム
２０  制御対象部
３１  送受信部
３２  検知部
３３  判断部
３４  生成部
３５  制御部
５１  送受信部
５５  制御部
９１  送受信部（送信手段の一例、受信手段の一例）
９２  照合部
９４  生成部（生成手段の一例）
９９  記憶・読出処理部
８０００  記憶部
９００１  レイアウト管理ＤＢ
９００２  制御内容管理ＤＢ（制御内容管理手段の一例）
９００３  調整度管理ＤＢ（調整度管理手段の一例）
９００４  消費量管理ＤＢ（消費量管理手段の一例）
９００５  利用者管理ＤＢ（利用者管理手段の一例）
９００６  調整対象管理ＤＢ（調整対象管理手段の一例）
９００７  調整範囲管理ＤＢ（調整範囲管理手段の一例）
【先行技術文献】
【特許文献】
【０１０６】
【特許文献１】特許第４３４０９２５号公報
【図１】
2017168856.tif 000003
【図２】
2017168856.tif 000004
【図３】
2017168856.tif 000005
【図４】
2017168856.tif 000006
【図５】
2017168856.tif 000007
【図６】
2017168856.tif 000008
【図７】
2017168856.tif 000009
【図８】
2017168856.tif 000010
【図９】
2017168856.tif 000011
【図１０】
2017168856.tif 000012
【図１１】
2017168856.tif 000013
【図１２】
2017168856.tif 000014
【図１３】
2017168856.tif 000015
【図１４】
2017168856.tif 000016
【図１５】
2017168856.tif 000017
【図１６】
2017168856.tif 000018
【図１７】
2017168856.tif 000019
【図１８】
2017168856.tif 000020
【図１９】
2017168856.tif 000021
【図２０】
2017168856.tif 000022
【図２１】
2017168856.tif 000023
【図２２】
2017168856.tif 000024
【手続補正書】
【提出日】平成29年4月28日(2017.4.28)
【手続補正１】
【補正対象書類名】特許請求の範囲
【補正対象項目名】全文
【補正方法】変更
【補正の内容】
【特許請求の範囲】
【請求項１】
所定空間の温度を検知する検知装置、及び移動体端末と通信可能であり、前記所定空間におけるＬＥＤ照明器具の制御内容を管理する制御内容管理システムであって、
前記所定空間における熱源の有無を示す所定の熱源有無情報、及び前記所定空間におけるＬＥＤ照明器具に対する所定の制御内容を関連付けて管理する制御内容管理手段と、
制御内容がまとめて調整される１又は複数のＬＥＤ照明器具を識別するための所定の調整対象識別情報、及び当該所定の調整対象識別情報で示される各ＬＥＤ照明器具を識別するための各制御対象識別情報を関連付けて管理する調整対象管理手段と、
前記検知装置から、当該検知装置と通信可能な特定のＬＥＤ照明器具を識別するための特定の制御対象識別情報、及び、前記特定のＬＥＤ照明器具が存在する特定空間における熱源の有無を示す特定の熱源有無情報を受信する受信手段と、
前記制御内容管理手段において前記受信された特定の熱源有無情報に対応する特定の制御内容を示す制御データを、前記特定の制御対象装置へ送信する送信手段と、
を有し、
前記受信手段は、前記移動体端末から、前記特定の調整対象識別情報、及び当該特定の調整対象識別情報で示されるＬＥＤ照明器具に対する制御内容を調整するための調光度を受信し、
前記送信手段は、前記調整対象管理手段において前記受信された特定の調整対象識別情報に対応する特定の制御対象識別情報で示される特定のＬＥＤ照明器具に対して、前記調光度を示す調整データを送信する制御内容管理システム。
【請求項２】
請求項１に記載の制御内容管理システムであって、
前記受信された特定の調整対象識別情報、及び前記調光度を関連付けて管理する調整度管理手段を有し、
前記送信手段は、前記調整度管理手段で管理された特定の調整対象識別情報が前記調整対象管理手段において対応する特定の制御対象識別情報で示される特定のＬＥＤ照明器具に対して、前記調整データを送信することを特徴とする制御内容管理システム。
【請求項３】
請求項１に記載の制御内容管理システムであって、
前記受信手段によって受信された調光度に基づいて、前記調整データを生成する生成手段を有することを特徴とする制御内容管理システム。
【請求項４】
（削除）
【請求項５】
（削除）
【請求項６】
（削除）
【請求項７】
請求項１に記載の制御内容管理システムと、
前記検知装置と、
を有する電力制御システム。
【請求項８】
所定空間の温度を検知する検知装置、及び移動体端末と通信可能であり、前記所定空間におけるＬＥＤ照明器具の制御内容を管理する制御内容管理システムが実行する制御内容管理方法であって、
前記制御内容管理システムは、
前記所定空間における熱源の有無を示す所定の熱源有無情報、及び前記所定空間におけるＬＥＤ照明器具に対する所定の制御内容を関連付けて管理する制御内容管理手段と、
制御内容がまとめて調整される１又は複数のＬＥＤ照明器具を識別するための所定の調整対象識別情報、及び当該所定の調整対象識別情報で示される各ＬＥＤ照明器具を識別するための各制御対象識別情報を関連付けて管理する調整対象管理手段と、
を有し、
前記制御内容管理システムは、
前記検知装置から、当該検知装置と通信可能な特定のＬＥＤ照明器具を識別するための特定の制御対象識別情報、及び、前記特定のＬＥＤ照明器具が存在する特定空間における熱源の有無を示す特定の熱源有無情報を受信する受信ステップと、
前記制御内容管理手段において前記受信された特定の熱源有無情報に対応する特定の制御内容を示す制御データを、前記特定のＬＥＤ照明器具へ送信する送信ステップと、
を実行し、
前記受信ステップは、前記移動体端末から、前記特定の調整対象識別情報、及び当該特定の調整対象識別情報で示されるＬＥＤ照明器具に対する制御内容を調整するための調光度を受信する処理を含み、
前記送信ステップは、前記調整対象管理手段において前記受信された特定の調整対象識別情報に対応する特定の制御対象識別情報で示される特定のＬＥＤ照明器具に対して、前記調光度を示す調整データを送信する処理を含む制御内容管理方法。
【請求項９】
コンピュータに、請求項８に記載の方法を実行させるプログラム。
【国際調査報告】
2017168856.tif 000025
2017168856.tif 000026
2017168856.tif 000027
2017168856.tif 000028